(57)【要約】      （修正有）【課題】情報利用者があえて能動的に情報を捜索したり検索したりすることなく、情報利用者にとって利便性と活用性の高い情報を、情報提供者から提供する。【解決手段】情報の提供者に関する属性と要件、情報利用者に関する属性と要件を保存するメモリーと、情報提供者の属性と要件と情報利用者の属性と要件を用いて要件合致度を算出し、要件合致度に基づいて、情報提供者に情報利用者の存在を通知するプロセッサと、を含む。【選択図】図１
2017059241.tif 000002
【特許請求の範囲】
【請求項１】
情報を提供する情報提供者に関する第１の属性と第１の要件、および前記情報を利用する情報利用者に関する第２の属性と第２の要件を保存するメモリーと、前記第１の属性、前記第２の属性、前記第１の要件、および前記第２の要件を用いて要件合致度を算出し、前記要件合致度に基づいて、前記情報提供者に前記情報利用者の存在を通知するプロセッサと、を含む広告システム。
【請求項２】
前記プロセッサは、さらに前記第１の属性、前記第２の属性、前記第１の要件、および前記第２の要件を用いて、前記情報提供者から前記情報利用者に対するメッセージを生成する、請求項１に記載の広告システム。
【請求項３】
前記プロセッサは、前記第１の属性と前記第２の属性を参照して、前記メッセージを前記情報利用者に向けて送付する、請求項１または請求項２に記載の広告システム。
【請求項４】
前記プロセッサは、前記メッセージの前記情報利用者による受領確認をする、請求項３に記載の広告システム。
【請求項５】
前記プロセッサは、前記受領確認の結果を前記情報提供者に通知する、請求項４に記載の広告システム。
【請求項６】
前記第１の属性は、前記情報提供者の位置、規模、業種、サービスの価格、施設の雰囲気の少なくとも１つを含む、請求項１乃至請求項５のいずれか一項に記載の広告システム。
【請求項７】
前記第２の属性は、前記情報利用者の性別、年齢、国籍、嗜好、許容される価格範囲の少なくとも１つを含む、請求項１乃至請求項６のいずれか一項に記載の広告システム。
【請求項８】
前記第１の要件は、前記情報提供者の有する情報とする、請求項１乃至請求項７のいずれか一項に記載の広告システム。
【請求項９】
前記情報提供者の有する情報は、前記情報提供者の提供するサービスに関する情報、特売情報、予約情報、提供情報の有効期限の少なくとも１つを含む、請求項８に記載の広告システム。
【請求項１０】
前記第２の要件は、前記情報利用者の位置、進行方向、スケジュールを含む、請求項１乃至請求項９のいずれか一項に記載の広告システム。
【請求項１１】
前記メッセージは、前記サービスの内容を含む、請求項１乃至請求項１０のいずれか一項に記載の広告システム。
【請求項１２】
前記情報利用者は、前記情報利用者の第２の属性および第２の要件に基づいてグループ化されることを特徴とする請求項１乃至請求項１１のいずれか一項に記載の広告システム。
【請求項１３】
前記情報提供者は、前記情報提供者の第１の属性および第１の要件に基づいてグループ化されることを特徴とする請求項１乃至請求項１２のいずれか一項に記載の広告システム。
【請求項１４】
前記要件合致度は、前記第１の属性に基づく情報提供者の位置の情報および前記第２の要件に基づく情報利用者の位置の情報により演算される前記情報提供者と前記情報利用者間の移動に要する時間と経費が一定の範囲内にあるか否か、前記第２の要件に基づく情報利用者の進行方向に前記第１の属性に基づく情報提供者の位置が含まれるか否か、前記第２の要件に基づく情報利用者のスケジュールに前記情報提供者の前記第１の要件に基づくサービスの提供が可能であるか否か、前記情報提供者の前記第１の要件に基づくサービスが前記情報利用者の前記第２の属性に基づく嗜好に合致するか否か、前記情報提供者の前記第１の属性に基づくサービスの価格が前記情報利用者の前記第２の属性に基づく許容される価格範囲に合致するか否か、前記第１の属性に基づく情報提供者の供する施設の雰囲気または前記第１の要件に基づくサービスの質が前記第２の属性に基づく前記情報利用者の嗜好に合致するか否か、の少なくともいずれか一つに基づいて得られることを特徴とする請求項１乃至請求項１３のいずれか一項に記載の広告システム。
【請求項１５】
コンピュータによって実行される広告提供方法であって、情報を提供する情報提供者に関する第１の属性と第１の要件、および前記情報を利用する情報利用者に関する第２の属性と第２の要件を用いて要件合致度を算出することと、前記要件合致度に基づいて、前記情報提供者に前記情報利用者の存在を通知すること、を含む広告提供方法。
【請求項１６】
さらに前記第１の属性、前記第２の属性、前記第１の要件、および前記第２の要件を用いて、前記情報提供者から前記情報利用者に対するメッセージを生成することを含む、請求項１５に記載の広告提供方法。
【請求項１７】
前記第1の属性と前記第２の属性を参照して、前記メッセージを前記情報利用者に向けて送出することを含む、請求項１５または請求項１６に記載の広告提供方法。
【請求項１８】
前記メッセージの前記情報利用者による受領確認をする、請求項１７に記載の広告提供方法。
【請求項１９】
前記受領確認の結果を前記情報提供者に通知する、請求項１８に記載の広告提供方法。
【請求項２０】
前記第1の属性は、前記情報提供者の位置、規模、業種、サービスの価格、施設の雰囲気の少なくとも１つを含む、請求項１５乃至請求項１９のいずれか一項に記載の広告提供方法。
【請求項２１】
前記第２の属性は、前記情報利用者の性別、年齢、国籍、嗜好、許容される価格範囲の少なくとも１つを含む、請求項１５乃至請求項２０のいずれか一項に記載の広告提供方法。
【請求項２２】
前記第１の要件は、前記情報提供者の有する情報とする、請求項１５乃至請求項２１のいずれか一項に記載の広告提供方法。
【請求項２３】
前記情報提供者の有する情報は、前記情報提供者の提供するサービスに関する情報、特売情報、予約情報、提供情報の有効期限の少なくとも１つを含む、請求項２２のいずれか一項に記載の広告提供方法。
【請求項２４】
前記第２の要件は、前記情報利用者の位置、進行方向、スケジュールを含む、請求項１５乃至請求項２３のいずれか一項に記載の広告提供方法。
【請求項２５】
前記メッセージは、前記サービスの内容を含む、請求項１５乃至請求項２４のいずれか一項に記載の広告提供方法。
【請求項２６】
前記情報利用者は、前記情報利用者の第２の属性および第２の要件に基づいてグループ化されることを特徴とする請求項１５乃至請求項２５のいずれか一項に記載の広告提供方法。
【請求項２７】
前記情報提供者は、前記情報提供者の第１の属性および第１の要件に基づいてグループ化されることを特徴とする請求項１５乃至請求項２６のいずれか一項に記載の広告提供方法。
【請求項２８】
前記要件合致度は、前記第１の属性に基づく情報提供者の位置の情報および前記第２の要件に基づく情報利用者の位置の情報により演算される前記情報提供者と前記情報利用者間の移動に要する時間と経費が一定の範囲内にあるか否か、前記第２の要件に基づく情報利用者の進行方向に前記第１の属性に基づく情報提供者の位置が含まれるか否か、前記第２の要件に基づく情報利用者のスケジュールに前記情報提供者の前記第１の要件に基づくサービスの提供が可能であるか否か、前記情報提供者の前記第１の要件に基づくサービスが前記情報利用者の前記第２の属性に基づく嗜好に合致するか否か、前記情報提供者の前記第１の属性に基づくサービスの価格が前記情報利用者の前記第２の属性に基づく許容される価格範囲に合致するか否か、前記第１の属性に基づく情報提供者の供する施設の雰囲気または前記第１の要件に基づくサービスの質が前記第２の属性に基づく前記情報利用者の嗜好に合致するか否か、の少なくともいずれか一つに基づいて得られることを特徴とする請求項１５乃至請求項２７のいずれか一項に記載の広告提供方法。
【請求項２９】
情報を提供する情報提供者に関する第１の属性と第１の要件、および前記情報を利用する利用者に関する第２の属性と第２の要件を用いて算出される要件合致度に基づいて、サーバーから送信される前記情報利用者の存在に関する情報の受信に応答して、前記第２の要件を送信する端末装置。
【請求項３０】
前記第２の要件は、前記情報利用者の位置、進行方向、スケジュールのいずれかひとつを含む請求項２９に記載される端末装置。
【請求項３１】
前記第２の要件情報を受けたサーバーから送信される前記情報利用者の前記第２の要件を受信し、表示する、請求項２９または請求項３０に記載の端末装置。
【発明の詳細な説明】
【技術分野】
【０００１】
本発明は、広告システム、広告提供方法および端末装置に関し、特に広告の利用者の属性を考慮して特定の利用者に向けて広告を配信するプッシュ型リアルタイムの広告システム、広告提供方法および端末装置に関する。
【背景技術】
【０００２】
旅行者、観光客や一般の消費者等（以下利用者と呼ぶ）は、ある地域を訪れると、食事や物品購入や観光や情報等に対して、役務提供や物品販売を（以後これらをまとめてサービスと呼ぶ）を受ける。その際、予めインターネット上の検索サイトや観光案内本等で、自らのニーズやサービスへの予定対価、訪れる地域等をキーワードとして、利用者自らサービスをひとつあるいは複数個抽出し、該地域でそのサービスを受けることがある。このようなサービスの提供方法は、例えば特許文献１に開示される技術が参照される。
【先行技術文献】
【特許文献】
【０００３】
【特許文献１】特開２００１−３１２５０８号公報
【発明の概要】
【発明が解決しようとする課題】
【０００４】
しかしながら、上述した地域でのサービス提供者は、利用者のニーズに応える能力や機能を持つにもかかわらず、利用者への情報提供内容が不十分である、即時性のない古い情報である、あるいは情報提供手段が不完全であるという事情から、サービス提供者はサービス提供の機会を逃がしてしまうことがある。また、利用者にとっても自分に適したサービス提供者を見逃すことになり、情報提供者と利用者の双方が不利益となる。
【０００５】
さらに、利用者がその地域を以前に訪れてサービスを受けた経験が有る場合、検索を行うことなく前回と同じ店舗・施設等からサービス提供を受ける、いわゆるリピート客となる場合が有る。同一地域にはより利用者に適したサービス提供者がいるにもかかわらず、旧知の店舗・施設にリピートすることは、その利用者に対するサービス提供者からのプッシュ情報が無いためであり、利用者もサービス提供者も新たなサービス授受の機会を失うことになる。
【０００６】
サービス提供者が広告主となって自ら情報配信を行う場合、利用者のプロファイルを仮定し、広告の要件と送る時期を推定し、自らの判断で広告を発行、送信する広告方法が知られていた。この場合、広告の対象とならない利用者にも広告の送付を行うこともあり、広告の成功率は非常に低いものになる。さらに、広告を送付するタイミングも利用者の時間的条件を考慮できないために、利用者にとっては不必要なタイミングで広告が届き廃棄されるため、広告の効果はさらに低下する。
【０００７】
利用者のニーズは天候、時刻、疲労度、同行者等で時々刻々と変わる。サービス提供者の提供するサービスの量も、サービス材料の在庫量や客の入り数などで、時々刻々と変化する。従って、サービス提供者が作った古いサービス情報が、利用者に間違えた情報となり、利用者がサービスを受けられない不利益と、サービス提供者の信用失墜を生むおそれがある。
【０００８】
本願発明は上記事情に鑑みてなされたものであり、情報提供者から情報利用者に向けて、適切なタイミングでかつ適切な情報を提供することができる広告システム、広告提供方法および端末装置を提供することを目的とする。
【課題を解決するための手段】
【０００９】
上記目的を達成するために、広告システムに係る請求項１の発明は、情報を提供する情報提供者に関する第１の属性と第１の要件、および情報を利用する情報利用者に関する第２の属性と第２の要件を保存するメモリーと、第１の属性、第２の属性、第１の要件、および第２の要件を用いて要件合致度を算出し、要件合致度に基づいて情報提供者に情報利用者の存在を通知するプロセッサと、を含む。
【００１０】
本発明によれば、メモリーおよびプロセッサを含み、情報提供者に関する第１の属性および第１の要件、情報利用者に関する第２の属性および第２の要件を用いて要件合致度を算出し、要件合致度に基づいて情報提供者に情報利用者の存在を通知することとしたので、情報提供者から情報利用者に向けて、適切なタイミングでかつ適切な情報を提供することができる。
【００１１】
ここで、プロセッサは、さらに第1の属性、第２の属性、第１の要件、および第２の要件を用いて、情報提供者から情報利用者に対するメッセージを生成する（請求項２）。
また、プロセッサは、第1の属性と第２の属性を参照して、メッセージを情報利用者に向けて送付する（請求項３）。
更に、プロセッサは、メッセージの情報利用者による受領確認をする（請求項４）。 
【００１２】
更にまた、プロセッサは、受領確認の結果を情報提供者に通知する（請求項５）。
上述した第1の属性は、情報提供者の位置、規模、業種、サービスの価格、施設の雰囲気の少なくとも１つを含む（請求項６）。
また、第２の属性は、情報利用者の性別、年齢、国籍、嗜好、許容される価格範囲の少なくとも１つを含む（請求項７）。 
【００１３】
第１の要件は、情報提供者の有する情報とする（請求項８）。
情報提供者の有する情報は、前記情報提供者の提供するサービスに関する情報、特売情報、予約情報、提供情報の有効期限の少なくとも１つを含む（請求項９）。
また、第２の要件は、情報利用者の位置、進行方向、スケジュールを含み（請求項１０）、メッセージは、サービスの内容を含む（請求項１１）。
情報利用者の第２の属性および第２の要件に基づいて情報利用者はグループ化される（請求項１２）。
また、情報提供者は、情報提供者の第１の属性および第１の要件に基づいてグループ化される（請求項１３）。
要件合致度は、第１の属性に基づく情報提供者の位置の情報および第２の要件に基づく情報利用者の位置の情報により演算される情報提供者と情報利用者間の移動に要する時間と経費が一定の範囲内にあるか否か、第２の要件に基づく情報利用者の進行方向に第１の属性に基づく情報提供者の位置が含まれるか否か、第２の要件に基づく情報利用者のスケジュールに情報提供者の第１の要件に基づくサービスの提供が可能であるか否か、情報提供者の第１の要件に基づくサービスが情報利用者の第２の属性に基づく嗜好に合致するか否か、情報提供者の第１の属性に基づくサービスの価格が情報利用者の第２の属性に基づく許容される価格範囲に合致するか否か、第１の属性に基づく情報提供者の供する施設の雰囲気または第１の要件に基づくサービスの質が第２の属性に基づく情報利用者の嗜好に合致するか否か、の少なくともいずれか一つに基づいて得られる（請求項１４）。
【００１４】
上記目的を達成するために、広告提供方法に係る請求項１５発明は、コンピュータによって実行される広告提供方法であって、情報を提供する情報提供者に関する第１の属性と第１の要件、および情報を利用する情報利用者に関する 第２の属性と第２の要件を用いて要件合致度を算出することと、要件合致度に基づいて、情報提供者に情報利用者の存在を通知すること、を含む。
【００１５】
本発明によれば、情報提供者に関する第１の属性および第１の要件、情報利用者に関する第２の属性および第２の要件を用いて要件合致度を算出し、要件合致度に基づいて情報提供者に情報利用者の存在を通知することとしたので、情報提供者から情報利用者に向けて、適切なタイミングでかつ適切な情報を提供することができる。
【００１６】
さらに広告提供方法は、第1の属性、第２の属性、第１の要件、および第２の要件を用いて、情報提供者から情報利用者に対するメッセージを生成することを含む（請求項１６）。 
【００１７】
また、広告提供方法は、第1の属性と第２の属性を参照して、メッセージを情報利用者に向けて送出することを含む（請求項１７）。
【００１８】
また更に、広告提供方法は、メッセージの情報利用者による受領確認をし（請求項１８）、受領確認の結果を情報提供者に通知する（請求項１９）。
第1の属性は、情報提供者の位置、規模、業種、サービスの価格、施設の雰囲気の少なくとも１つを含む（請求項２０）。
【００１９】
また、第２の属性は、情報利用者の性別、年齢、国籍、嗜好、許容される価格範囲の少なくとも１つを含む（請求項２１）。
第１の要件は、情報提供者の有する情報とする（請求項２２）。
情報提供者の有する情報は、情報提供者の提供するサービスに関する情報、特売情報、予約情報、提供情報の有効期限の少なくとも１つを含む（請求項２３）。
【００２０】
また、第２の要件は、情報利用者の位置、進行方向、スケジュールを含み（請求項２４）、メッセージは、サービスの内容を含む（請求項２５）。
情報利用者は、情報利用者の第２の属性および第２の要件に基づいてグループ化される（請求項２６）。
また、情報提供者は、情報提供者の第１の属性および第１の要件に基づいてグループ化される（請求項２７）。
要件合致度は、第１の属性に基づく情報提供者の位置の情報および第２の要件に基づく情報利用者の位置の情報により演算される情報提供者と情報利用者間の移動に要する時間と経費が一定の範囲内にあるか否か、第２の要件に基づく情報利用者の進行方向に第１の属性に基づく情報提供者の位置が含まれるか否か、第２の要件に基づく情報利用者のスケジュールに情報提供者の第１の要件に基づくサービスの提供が可能であるか否か、情報提供者の第１の要件に基づくサービスが情報利用者の第２の属性に基づく嗜好に合致するか否か、情報提供者の第１の属性に基づくサービスの価格が情報利用者の第２の属性に基づく許容される価格範囲に合致するか否か、第１の属性に基づく情報提供者の供する施設の雰囲気または第１の要件に基づくサービスの質が第２の属性に基づく情報利用者の嗜好に合致するか否か、の少なくともいずれか一つに基づいて得られる（請求項２８）。
上記目的を達成するために、端末装置に係る請求項２９の発明は、情報を提供する情報提供者に関する第１の属性と第１の要件、および情報を利用する利用者に関する第２の属性と第２の要件を用いて算出される要件合致度に基づいて、サーバーから送信される情報利用者の存在に関する情報の受信に応答して、第２の要件を送信する。
【００２１】
ここで、第２の要件は、情報利用者の位置、進行方向、スケジュールのいずれかひとつを含む（請求項３０）。また、第２の要件情報を受けたサーバーから送信される情報利用者の第２の要件を受信し、表示する（請求項３１）。
【発明の効果】
【００２２】
本発明は、情報提供者から情報利用者に向けて、適切なタイミングでかつ適切な情報を提供することができる。
【図面の簡単な説明】
【００２３】
【図１】本発明の実施例に係わる広告システムの構成と関係を示すブロック図である。
【図２】本発明の実施例に係わる広告システムによる広告提供方法の流れを示すフローチャートである。
【発明を実施するための形態】
【００２４】
以下、本発明の実施形態について図面を参照して詳細に説明する。
発明の全般的説明
広告システム
本発明は、旅行者、観光客や一般の消費者等(以下、「利用者、情報利用者、情報の利用者」)にとって有用な情報を得るために必要な要求情報を利用者の属性や行動、嗜好などから分析し、必要な情報要件に関する情報を、飲食業や物品販売業、あるいは観光施設、あるいはこれらの複合施設部、交通サービス事業者等（以下、「サービス提供者、提供者、情報提供者、情報の提供者」）に提供し、それらのサービス提供者の持つ現在の条件や属性と、該情報とのマッチングにより即時性および標的性の高い高効率な広告や情報を、特定の利用者に配信することを可能にする管理サーバー 1を使用するシステム１００（以下、システム１００は広告システム１００と呼ぶ）に関する。
【００２５】
本発明の実施形態に係る管理サーバー１は、本発明の主体となる情報処理装置であり、情報利用者端末装置４１および情報提供者端末装置５１と通信可能に構成されている。管理サーバー１は、図１に示すように、メモリー２，４とプロセッサ３を有する。
【００２６】
メモリー２，４は、管理サーバー１における物理的な記憶装置であり、メモリー２は、情報を提供する情報提供者（上記にも記述しているが、以下、情報提供者は提供者、情報の提供者、またはサービス提供者とする場合がある）に関する第１の属性１０と第１の要件１１を保存し、メモリー４は、情報を利用する情報利用者（上記にも記述しているが、以下、情報利用者は単に利用者または情報の利用者とする場合がある）に関する第２の属性２０と第２の要件２１を保存する。第１の属性１０および第１の要件１１は、メモリー２に格納される第１の属性要件ＤＢ６０および／または情報提供者管理ＤＢ５に保存され、第２の属性２０および第２の要件２１は、メモリー４に格納される第２の属性要件ＤＢ７０および／または情報利用者管理ＤＢ６に保存される。
【００２７】
プロセッサ３は、メモリー２，４が保持する情報あるいは情報利用者端末装置４１および情報提供者端末装置５１等の管理サーバー１の外部からの情報を処理するとともに、該情報をメモリー２，４に格納あるいは通信する機能を有する。
プロセッサ３は、情報提供者管理部７、情報利用者管理部８、属性合致度算出部３０、要件合致度算出部３１、情報提供者へ利用者の存在を通知する通知部３２、利用者向けメッセージ生成部３３、利用者向けメッセージ送付部３４、利用者のメッセージ受領確認部３５、アカウント部３６、および利用者受領確認を提供者へ通知する受領確認通知部３７として機能する。
【００２８】
すなわち、プロセッサ３は、情報提供者管理部７によりメモリー２の情報提供者管理ＤＢ５および第１の属性要件ＤＢ６０を介して情報提供者の各種情報を管理し、情報利用者管理部８によりメモリー４の情報利用者管理ＤＢ６および第２の属性要件ＤＢ７０を介して情報利用者の各種情報を管理し、これらＤＢ５，６，６０，７０に格納された第1の属性１０、第２の属性２０、第１の要件１１、および第２の要件２１を用いて属性合致度算出部３０および要件合致度算出部３１により、要件合致度３０，３１を算出し、要件合致度に基づいて、提供者に利用者の存在に関する情報を利用者ステータスとして通知部３２により通知し、利用者の存在を知らせるメッセージをメッセージ生成部３３により生成して提供情報ＤＢ３８に保持し、第1の属性１０と第２の属性２０を参照して、作成し保持したメッセージおよび合致する情報提供者の情報をメッセージ送付部３４により利用者端末装置４１に向けて送付する（要件合致度は、上記からも明らかなように要件合致度算出部３１により算出された要件の合致度のみならず、属性合致度算出部３０により算出された属性の合致度を含む）。利用者端末装置４１は送付されたメッセージおよび合致する情報提供者の情報を受領して受領確認を通信部４３で管理サーバー１へ送信すると共にメッセージ表示部４４で利用者に向けてメッセージを表示する。更にプロセッサ３は、利用者のメッセージ受領確認部３５により利用者のメッセージへの利用者端末装置４１からの受領を確認し、アカウント部３６により情報提供者に対する課金計算を行うとともに、受領確認通知部３７により受領確認の結果を提供者に通知する。ここで、情報の提供者に関する第１の属性１０と第１の要件１１を提供者の個人情報、情報の利用者に関する第２の属性２０と第２の要件２１を利用者の個人情報と呼ぶこともある。
【００２９】
また本発明の実施形態に係る広告システム１００は、情報提供者のステータス記憶部５２の情報を適時に第１の要件１１を記憶するＤＢ６０に情報提供者情報として送付しあるいは／および情報提供者へ利用者を通知する通知部３２への応答を行う通信部５３の機能を有する情報提供者端末装置５１を有しても良く、情報利用者のステータス記憶部４２と情報提供者の情報を適時に情報利用者に表示するメッセージ表示部４４とメッセージ受領と受領確認の通信部４３の機能を有する、利用者端末装置４１を有しても良い。
【００３０】
上記のような構成を採用することによって本発明の実施形態に係る広告システム１００は、情報利用者があえて能動的に情報を捜索したり検索したりすることなく、情報利用者にとって利便性と活用性の高い情報が情報提供者から効率よく提供されるシステムを得ることができる。 
【００３１】
広告に用いる情報
第1の属性１０は、提供者の所在位置１２ａ、規模１２ｂ、業種１２ｃの少なくとも１つを含む。第1の属性１０は、提供するサービスあるいは役務の価格、施設の雰囲気を含んでも良い。第２の属性２０は、利用者の性別２２ａ、年齢２２ｂ、国籍２２ｃの少なくとも１つを含む。また、第２の属性２０は、嗜好、許容される価格範囲を含んでも良い。第１の属性１０は、情報提供者端末装置５１から入力され、第２の属性２０は、情報利用者端末装置４１から入力される。第１の属性１０および第２の属性２０は、後述のＩＤを生成する際つまり本広告システムに登録する際に必要となる情報であり、相対的に変更されることが少ない情報となる。なお、第２の属性２０に含まれる嗜好は、各種の調査により収集された情報利用者の嗜好に関するデータからなる。
【００３２】
第１の要件１１は、情報提供者の有する情報とし、より詳しくは、情報提供者の有する情報は、提供者の提供するサービスに関する情報１３ａ（以下、単にサービス１３ａとする場合がある）、情報提供者の特売情報１３ｂ、情報提供者予約情報１３ｃ、提供情報の有効期限１３ｄの少なくとも１つを含み、第２の要件２１として、利用者の現在位置２３ａ、進行方向２３ｂ、スケジュール２３ｃを含む。第１の要件１１は、情報提供者端末装置５１から入力され、第２の要件２１は、情報利用者端末装置４１から入力される。第１の要件１１および第２の要件２１は、相対的に変更されることが多い情報であり、適時に書き換えられる。
管理サーバー１は第１の要件１１および第２の要件２１に対応してプッシュ広告を情報利用者端末４１に提供する。すなわち、例えば本広告システム１００のプッシュ広告は、利用者の現在位置２３ａが提供者の位置１２ａから所定範囲内にあるとき、利用者の進行方向２３ｂに提供者の位置１２ａが含まれるとき、利用者のスケジュール２３ｃが提供者の特売情報（特売時間）１３ｂや予約情報（予約の空いている時間）１３ｃに合致するとき、利用者の嗜好が提供者のサービス１３ａに合致するときに提供される。プッシュ広告は、前記合致するときに管理サーバー１の利用者向けメッセージ送付部３４から利用者端末装置４１に送付される。
【００３３】
利用者向けメッセージは、情報提供者の第１の属性１０および第１の要件１１の所在位置１２ａ、規模１２ｂ、業種１２ｃ、提供するサービス１３ａ、固有情報の少なくとも１つを含む。
【００３４】
本広告システム１００は、情報の提供者に関する第１の属性１０と第１の要件１１、および情報の利用者に関する第２の属性２０と第２の要件２１を用いて算出される要件合致度に基づいて、管理サーバー１が前記利用者のステータスに合致する情報提供者を抽出し、利用者端末装置４１にメッセージを、メッセージ送付部３４を用いて送信する。
【００３５】
ここで、要件合致度は、予め用意する以下の要件ごとに準備する比較式を用いて計算する。すなわち、要件合致度は、（１）第１の属性１０に基づく情報提供者の所在位置１２ａの情報および第２の要件２１に基づく情報利用者の現在位置２３ａの情報により演算される情報提供者と情報利用者間の移動に要する時間と経費（交通費）が広告システム１００において予め設定される一定の範囲内にあるか否か、（２）第２の要件２１に基づく情報利用者の進行方向２３ｂに第１の属性１０に基づく情報提供者の所在位置１２ａが含まれるか否か、（３）情報利用者が情報提供者を訪れる日時（第２の要件２１に基づく情報利用者のスケジュール２３ｃ）に情報提供者の第１の要件１１に基づくサービスあるいは役務１３ａの提供が可能であるか否かより詳しくは第１の要件１１に基づく情報提供者の特売情報（特売時間）１３ｂ、予約情報（予約が空いている時間）１３ｃ、若しくは提供情報の有効期限１３ｄと前記日時（スケジュール２３ｃ）が合致するか否か、（４）情報提供者の第１の要件１１に基づくサービスあるいは役務１３ａが前記情報利用者の第２の属性２０に基づく嗜好に合致するか否か、（５）情報提供者の第１の属性１０に基づくサービスあるいは役務１３ａの価格が前記情報利用者の第２の属性２０に基づく許容される価格範囲に合致するか否か、（６）第１の属性１０に基づく情報提供者の供する施設の雰囲気または第１の要件１１に基づくサービスあるいは役務１３ａの質が第２の属性２０に基づく嗜好に合致するか否か、など（１）乃至（６）の少なくともいずれか一つに基づいて数値化すると共に重み付けをする表を予め準備してデータベース化し、多数の提供者と利用者の間で評価、比較することで、利用者ごとに評価点が高い提供者を抽出する（要件合致度は、（１）乃至（６）の全てを採用してもよく、また（１）乃至（６）から適宜に複数選択されてもよい）。なお、前記移動に要する時間と経費（交通費）は、例えば、公共交通機関を利用したときの時間と経費（交通費）が演算される。この演算は、インターネット等により得られる移動時間および交通費を演算するための各種の演算手段が利用される。
【００３６】
利用者端末装置４１のステータス記憶部４２は、図示されていないセンサを用いて取得される利用者の位置２３ａ、進行方向２３ｂのいずれかひとつ、または／および、予め設定されたスケジュール２３ｃのいずれかひとつを記憶し、利用者端末装置４１は管理サーバー１から送信されるメッセージを受信し、受領確認を管理サーバー１に送信し、メッセージを利用者に表示する。
【００３７】
管理サーバー１は前記利用者からの受領確認の通信部４３からの受領確認を管理サーバー１の利用者のメッセージ受領確認部３５で受信し、前記提供者へ利用者の受領確認を受領確認通知部３７で送信する。
【００３８】
プッシュ広告の広告提供方法
以下、本発明の広告システム１００によるプッシュ広告の広告提供方法の動作フローについて図２のフローチャートに基づいて説明する。なお、管理サーバー１の情報利用者の第２要件２１のＤＢ７０には、予め、利用者によって入力されたスケジュール２３ｃを含む個人情報が記憶されているものとする。また、たとえば、利用者端末装置４１は、スマートフォン、タブレットあるいはＰＣとする。
【００３９】
利用者端末装置４１は、ステップ１０４において、Webブラウザおよび予めダウンロードした専用アプリケーションがインストールされ、管理サーバー１に対して入会申し込みを行い、管理サーバー１はこのアプリケーションを使用してステップ１１０において入会の受付を行う。
【００４０】
管理サーバー１は、ステップ１１１において、サービス開始の手続きと個人情報を受理し、入力された個人情報は、利用者端末装置４１から管理サーバー１に送られる。管理サーバー１は、利用者のＩＤを設定して利用者端末装置４１にＩＤを送付し、この際、利用者端末装置４１のメモリーにこの利用者のＩＤが記録される。以後、このＩＤで利用者を識別し、管理サーバー１はステップ１１２において個人情報を図1の情報利用者管理ＤＢ６に保存し、利用者の個人情報にＩＤを紐付けする。以後の管理はＩＤで行う。
【００４１】
すなわち、個人情報は図１の情報利用者の第２属性２０および第２要件２１で構成され、暗号化することで個人情報を保護する。
利用者の個人情報は、利用者年齢２２ａ、利用者性別２２ｂ、利用者国籍２２ｃ、図には無い言語、等の静的な情報と、利用者が旅行中であれば到着予定日時、出発予定日時、訪問予定地などの動的情報を含む属性情報がある。利用者の個人情報には、訪れた地名の履歴、サービスを受けた履歴等が利用者の活動と共に利用者端末装置４１のステータス記憶部４２から適時送信され情報利用者管理ＤＢ６に保存される。蓄積したデータ類を暗号化することで、個人情報の保護ができる。
【００４２】
利用者端末装置４１からは、利用者自身のニーズに基づくステータス記憶部４２に記録されたリクエスト情報、動的な要件情報としての現在の利用者の位置情報２３ａは、ステップ１１３において、適時に入力され前記専用アプリケーションによりシステムに送信される。送信されたこれらの情報をシステムは現時点での利用者の要件の設定とする。
【００４３】
利用者のリクエスト情報は、利用者端末装置４１からの上記位置情報２３ａや、図には示されない情報提供開始希望日時、提供終了希望日時、頻度、希望提供形態を含む。
【００４４】
利用者属性情報２０と要件２１は、リアルタイム処理を行う際の処理時間を短縮する目的で、ステップ１１４において、管理サーバー１は、予め属性データと要件データを類似した利用者の属性、要件でグループ化する。このグループ化されたデータは個人情報を含まないため暗号化処理が不要となり、処理の高速化に効果が有る。このグループ化されたデータを利用者プロファイルと呼ぶ。
【００４５】
グループ化の際、システムは利用者の属性および要件の類似度を評価してグループ化するアルゴリズムを用い、上記利用者プロファイルを作る。すなわち、利用者プロファイルとは、複数の情報利用者の属性、要件、リクエストの内容を比較し、合致度の高い利用者をグループ化した集団の持つ属性、要件、リクエストをいう。このように情報利用者は、情報利用者の第２の属性２０および第２の要件２１に基づいて生成される利用者プロファイルによりグループ化される。
【００４６】
利用者プロファイルは、個々の利用者の現時点での属性２０と要件２１に基づくニーズ分析を行うことで、該利用者にとって有利な条件でニーズの具体化が可能となり、情報提供者との合致度の算出の準備となる。
【００４７】
利用者プロファイルを適時的に送信される利用者からの動的情報により更新することで、利用者からの即時性のある効果的な情報提供を実現し、提供情報の精度を上げることが可能である。
【００４８】
グループ化するアルゴリズムで、利用者が複数のグループに所属すると判断される場合は、個人の属性および要件と生成された利用者プロファイルとの類似性を評価して類似性の高いものから優先順位をつけて管理する。
【００４９】
サービスを提供する情報提供者は、情報提供者端末装置５１としてスマートフォン、タブレットあるいはＰＣを使用し、情報提供者端末装置５１には、ステップ１０５において、Ｗｅｂブラウザおよび予めダウンロードした専用アプリケーションをインストールした上で、管理サーバー１に対して入会申し込みを行い、ステップ１２０において、登録受付行為として管理サーバー１に対してサービス開始の手続きを行い、ステップ１２１において、情報提供者端末装置５１が管理サーバー１に情報提供者情報を送信し、管理サーバー１が送信された情報提供者情報を受理してＩＤを設定して送付し、この際情報提供者端末装置５１のメモリーにこの提供者のＩＤが記録される。以後、システムは提供者ＩＤに紐付けして、ステップ１２２において、情報提供者情報を情報提供者管理ＤＢ５に保存し、以後の管理はＩＤで行う。
【００５０】
提供者情報ＤＢ５は情報提供者の第１の属性１０および第１の要件１１で構成され、暗号化することで、情報の保護ができる。
【００５１】
提供者情報は、食事、販売、観光、交通等のサービス提供者の、場所、開店時刻と閉店時刻、規模、業種、周辺の交通機関、価格等の情報と、サービスを提供した履歴等が提供者の活動と共に静的な情報として蓄積され、これにステップ１２３において、期間限定商品や安売り期間、催し物等の動的な要件情報が適時に入力され図１の情報提供者管理ＤＢ５に蓄積される。
【００５２】
ステップ１２４において、管理サーバー１は、利用者プロファイルと同様に、サービス提供者の属性情報と要件情報を他のサービス提供者とも合わせて評価してグループ分けすることで、処理の即時性が増すと共に、個人情報が無くなるため暗号化も不要となり、処理の即時性に有利となる。このグループ化されたサービス提供者の属性と要件をサービス提供者プロファイルと呼ぶ。すなわち、提供者プロファイルとは、複数の情報提供者の属性、要件の内容を比較し、合致度の高い提供者をグループ化した集団の持つ属性、要件をいう。このようにサービス提供者は、サービス提供者の第１の属性１０および第１の要件１１に基づいて生成されるサービス提供者プロファイルによりグループ化される。
【００５３】
ステップ１６０において、管理サーバー１は、サービス提供者プロファイルと利用者プロファイルの要件合致度を計算して評価し、合致度の高いグループを抽出する。この過程をプロファイルマッチングと呼ぶ。
【００５４】
ステップ１６１において、管理サーバー１は、プロファイルマッチングで選択されたサービス提供者に対してプロファイルマッチングで抽出した利用者プロファイルと、利用者プロファイルに属する利用者数、サービス提供可能枠、料金などを生成し、サービス提供機会情報として図１の情報提供者端末装置５１の利用者情報と情報提供機会案内５３に向けて送信する。
【００５５】
ステップ１６２において、サービス提供機会情報を受信した利用者情報と情報提供機会案内５３の情報を基に情報提供の可否と方法を判断し、送信を希望する場合は情報提供者端末装置５１より送信リクエストを管理サーバー１に登録する。
【００５６】
ステップ１６３において、サービス利用者に送信する情報は、管理サーバー１があらかじめ登録されたサービス提供情報を基にして自動生成する場合と、ステップ１６４において、受信したサービス提供機会情報を基にサービス提供者が新規に自作したサービス提供情報を情報提供者端末装置５１が管理サーバー１にアップロードする場合の二つの動作が可能である。
【００５７】
自動生成の場合は、ステップ１６６において、プロファイルマッチングで選ばれたサービス提供者プロファイルの持つ属性と要件情報から、管理サーバー１はあらかじめ登録されたサービス提供者の静的な情報を利用して利用者プロファイルに合わせた宣伝文を生成し、利用者の現在地からサービス提供者の場所、例えばレストランの所在地、までの交通手段を付加して提供情報を生成する。
【００５８】
ステップ１６８において、管理サーバー１は前記提供情報（広告情報）を利用者プロファイルに該当する利用者に対し該利用者に適した時刻に送付する。一方、ステップ１６５において宣伝文の作成を管理サーバー１に要請すれば、ステップ１６７において、図１の情報提供者ステータス記憶部５２に保持された安売り等のプッシュ情報を含む即時的な情報を参照して、前記マッチングで選ばれた利用者向けのプッシュ宣伝文を生成、送付する役務を、管理サーバー１は実施する。
【００５９】
プッシュ宣伝文は依頼した情報提供者の提供者プロファイルと共に、上位に位置付けて利用者へ送付する。  
【００６０】
情報提供者と利用者にとって双方に良いタイミングで、利用者が欲するサービス情報を生成することで、利用者の欲しい情報を効果的な表現で届けることができる。
【００６１】
利用者は、スマートフォン、タブレット、ＰＣなどの利用者端末装置４１でこれらの情報を受け取り、その形態は管理サーバー１から指定した形式で表示される。ここで形式はバナー、ティッカー、ショートメールあるいはＥメールである。
【００６２】
専用アプリケーションは、管理サーバー１から情報提供があった場合、利用者にそれを知らせる機能を持つ。たとえば、着信アラーム、バイブレーション、アイコンによる表示、お知らせ表示などである。
【００６３】
利用者が通知をうけた情報にアクセス、閲覧した場合、専用アプリケーションはそれを管理サーバー１に知らせる機能を持つ。ステップ１６９において、管理サーバー１はこの情報により、受理情報が利用者端末装置４１で表示されたかどうかを判断することができ、それを蓄積する。
【００６４】
この結果を基に管理サーバー１は、ステップ１７０において、情報提供者に対して、課金請求を行う。ステップ１７１において、管理サーバー１は、上記効果を収集、蓄積し、管理サーバー１のプロファイルマッチングの処理方法を自ら改善、更新することで、利用者と情報提供者のマッチングの精度を高めることができる。ステップ１７２において、管理サーバー１が情報提供者端末装置５１に、情報の利用者への到達と閲覧件数などを送信する。情報提供者はこれを基に、本システムの効果の判断をすることができる。
【００６５】
ステップ１７３において、情報提供者のプロファイル情報にしたがって利用者が情報提供者のサービスを利用した場合は、管理サーバー１は利用者へのインセンティブを計算しこのインセンティブを与える。
【００６６】
同様にステップ１７３において、利用者からのリクエストに基づいたプッシュ宣伝により利用者がサービスを受けた場合は、管理サーバー１がインセンティブ情報を利用者端末装置４１に送付する。ステップ１７４において、管理サーバー１はステップ１１３とステップ１２３の待機状態に戻る。
【００６７】
このようなシステム構成の採用によって、無駄な宣伝情報を利用者に向かって多数送付する必要が無くなり、情報提供者の提供するサービスと、利用者のニーズに合致するプッシュ宣伝を数少なく送付すれば十分であるため、情報提供者は無駄な広告費を使わずに済む。
【００６８】
管理サーバー１は、個々の情報提供者と利用者にとって最適なタイミングでプッシュ宣伝を送付することで、従来の多量の宣伝を利用者に向けて一時に送付する方法に比べて、通信量の平準化が行われ、管理サーバー１と通信網の規模を小さくできる。
【００６９】
既存のグルナビや、旅行案内本等で固定化されたサービスに変わる新規情報を提供することで、新規参入のサービス提供者にも顧客を獲得するチャンスを持てる。
【００７０】
リピート客に対して、新たなサービスを提案することで、サービス産業に新陳代謝が生じ、社会に効率の良い消費が生まれる。
以下、いくつかの実施例で上記発明を説明する。尚、本発明の実施例は以下の例には限定されない。
【００７１】
実施例１
来日旅行者向けのリアルタイム情報提供の広告システム
本発明は、旅行者である利用者(以下利用者）が情報を閲覧するために用いるスマートフォンや携帯端末、ＰＣなどを総称する利用者端末装置４１、および利用者端末装置４１に、情報提供者等からの情報を提供する図１の管理サーバー１、および利用者の使用する利用者端末装置４１に向けた情報を管理サーバー１に送付する、情報提供者が使用するスマートフォンや携帯端末、ＰＣなどを総称する情報提供者用端末装置５１で構成される。
【００７２】
以上の、利用者端末装置４１、管理サーバー１、情報提供者用端末装置５１を接続する、有線通信として、光ファイバー通信、ＡＤＳＬ、ケーブルＴＶ、等のＩＰ接続ができる接続、および無線通信として、ＷｉＦｉ通信、近接無線、小電力無線、携帯電話回線、衛星回線等のＩＰ接続ができる接続、による通信手段で構成され、全体を広告システム１００と呼ぶ。
【００７３】
利用者端末装置４１には、利用者が広告システム１００を利用開始する時点で、図２のステップ１０４において、管理サーバー１からダウンロードした専用アプリケーションをインストールして用いるが、専用アプリケーション以外に、利用者端末装置４１が用意しているＷｅｂブラウザを用いることも可能である。情報提供者端末装置５１も同様に広告システム１００を利用開始する時点で、図２のステップ１０５において、管理サーバー１からダウンロードした専用アプリケーション、またはＷｅｂブラウザによって利用することができる。
【００７４】
図１の管理サーバー１は、情報利用者端末装置４１への接続機能と利用者の登録情報を管理する情報利用者管理部８、利用者に提供する情報を作成管理する利用者向けメッセージ生成部３３、情報送信のタイミングなどを管理する利用者向けメッセージ送付部３４、利用者からの情報を蓄積管理する情報利用者管理ＤＢ６、情報提供者を管理する情報提供者管理部７、情報提供者管理ＤＢ５、情報提供者に情報提供機会と利用者の情報を知らせる情報提供者へ利用者を通知する通知部３２、情報提供者のサービス利用と課金を管理するアカウント部３６、提供する情報を蓄積管理する提供情報ＤＢ３８からなる。
【００７５】
来日旅行者向けのリアルタイム情報提供の広告提供方法
利用者の広告システム１００への利用開始と登録の手順は以下の通りである。
Ｔ１．利用者が図１の利用者端末装置４１に適合した情報利用者用の専用アプリケーションを図２のステップ１０４においてダウンロードして取得する。
Ｔ２．図２のステップ１０４において前記専用アプリケーションをインストールし、利用者端末装置４１に表示された専用アプリケーションまたは利用者端末装置４１が用意しているＷｅｂブラウザにより、図１の情報利用者管理部８の用意した特定のＷｅｂページより、ステップ１１０の入会受け付けとして、情報利用者管理部８に対して利用者登録要求を送信する。
Ｔ３．情報利用者管理部 ８は図２のステップ１１０において入会受付を行い、ステップ１１１において利用者用専用アプリに対して利用者ＩＤを送付し、付与する。
Ｔ４．利用者ＩＤは、図２のステップ１１１と１１２のセッションで暗号化に利用され、登録情報などは暗号化されて送受信される。
Ｔ５．暗号化にはセッションＩＤを用いる場合とＳＳＬなどの秘匿プロトコルを利用する場合がある。
Ｔ６．登録情報は、図１の情報利用者管理部８を使用して、図２のステップ１１２において利用者の旅行滞在期間、予定している目的地、旅行中に興味のある項目、性別、年齢層、出身地、ログインパスワードなどの静的な属性情報をアンケート形式により得て、図１の情報利用者管理ＤＢ６に蓄積される。
Ｔ７．登録が完了すると以降サービスが利用可能となる。
なお以降の図２のステップ１１３、１６８において行う利用者ログインには前記利用者ＩＤ以外に、利用者ＩＤに紐付けられた他のサービスのＩＤ、メールアドレスを使うことができ、他のサービスの認証システムを利用することも可能である。
【００７６】
情報提供者の広告システム１００への利用開始と登録の手順は以下の通りである。
Ｓ１．情報提供者が図１の情報提供者端末装置５１に適合した情報提供者用の専用アプリケーションを図２のステップ１０５においてダウンロードして取得する。
Ｓ２．図２のステップ１０５において情報提供者用の前記専用アプリケーションをインストールし、情報提供者端末装置５１に表示された専用アプリケーションまたは情報提供者端末装置５１が用意しているＷｅｂブラウザにより、図１の情報提供者管理部７の用意した特定のＷｅｂページより情報提供者登録として、情報提供者管理部７に対して提供者登録要求を送信する。
Ｓ３．情報提供者管理部７は情報提供者用専用アプリに対して図２のステップ１２１において情報提供者ＩＤを付与する。
Ｓ４．情報提供者ＩＤは、図２のステップ１２１、１２２の登録のセッションで暗号化に利用され、登録情報などは暗号化されて送受信される。
Ｓ５．暗号化にはセッションＩＤを用いる場合とＳＳＬなどの秘匿プロトコルを利用する場合がある。
Ｓ６．登録情報は図１の情報提供者管理部７を用いて、図２の情報提供者の所在地、提供するサービスあるいは役務（以下サービスと呼ぶ）、サービス対象としたい年齢、性別、出身地、サービスを提供できない休日や閉店時刻などの閉店情報、同業者との差別、情報提供者が興味のある利用者についての性別、年齢層、ログインパスワードなどの静的な属性情報をアンケート形式で得て、図１の情報提供者管理ＤＢ５に蓄積される。
Ｓ７．登録が完了すると以降サービスが利用可能となる。
なお以降の図２のステップ１２３、１６２、１６４、１６５、等で行う提供者のログインには前記情報提供者ＩＤ以外に、情報提供者ＩＤに紐付けられた他のサービスのＩＤ、メールアドレスを使うことができる。他のサービスの認証システムを利用することも可能である。
【００７７】
管理サーバー1は、図１の情報利用者管理ＤＢ６にある複数の利用者が予定している目的地、旅行中に興味のある項目、性別、年齢層、出身地等の静的な利用者の属性情報と、図２のステップ１１３において適時に登録する利用者のリクエストや位置情報等の動的な要件情報を、ステップ１１４において複数の利用者の属性、要件の類似度を評価してグループ化し、利用者プロファイルを作る。
【００７８】
管理サーバー１は、図１の情報提供者第１属性１０のＤＢ６０にある複数の情報提供者の所在地、提供するサービスあるいは役務（以下サービスと呼ぶ）、サービス対象としたい年齢、性別、出身地、サービスを提供できない休日や閉店時刻などの閉店情報、等の静的な情報提供者の提供する属性情報と、図２のステップ１２３において適時に情報提供者が情報提供者第１要件１１のＤＢ６０に登録する期間限定商品や安売り期間、催し物等の動的な要件情報を、ステップ１２４において複数の情報提供者の属性、要件の類似度を評価してグループ化し、提供者プロファイルを作る。
【００７９】
管理サーバー1は、図１の利用者向けメッセージ生成部３３において、図２のステップ１６０において前記利用者プロファイルと前記提供者プロファイルのマッチングを取り、情報提供者がサービス可能である利用者が存在する場合、ステップ１６１においてサービスを提供する機会が有る事を、該当する利用者に関する情報を添えて、情報提供者端末装置５１に送付する。
【００８０】
ステップ１６１においてサービスの提供機会情報を受信した情報提供者はステップ１６２において情報提供のニーズに該当しているかを前記機会情報から判断し、前記ステップ１６０においてマッチングした利用者に対して提供希望がある場合、ステップ１６３の管理サーバー１がサービス提供情報を生成する方法、ステップ１６４の情報提供者が利用者向けに自作したサービス提供情報をアップロードする方法、ステップ１６５の情報提供者と利用者のそれぞれの属性情報と要件情報を基にプッシュ情報を管理サーバー１が生成する方法、のいずれかが情報提供者端末装置５１から図１の情報提供者管理部７に送信される。
【００８１】
ステップ１６３の管理サーバー１によるサービス情報の自動生成の場合、図１の利用者向けメッセージ生成部３３は、図２のステップ１６０において利用者と提供者のそれぞれのプロファイのマッチングを取った際の情報提供者が提供できるサービスの内容を図１の提供情報ＤＢ３８に蓄積し、ステップ１６８において利用者に送付する広告情報として準備する。
【００８２】
あるいは、ステップ１６４のサービス情報の生成を選んだ場合、情報提供者自身が作成した広告情報が、図３の提供情報ＤＢ３８に蓄積されステップ１６８において利用者に送付する広告情報として準備される。
【００８３】
あるいは、ステップ１６５を選んだ場合は、図１の管理サーバー１の利用者向けメッセージ生成部３３でステップ１６７のプッシュ宣伝情報を作成し、図１の提供情報ＤＢ３８に蓄積しステップ１６８において利用者に送付する広告情報として準備する。
管理サーバー１は、図１の提供情報ＤＢ３８に提供情報と利用者分類、送信期間、送信時間など情報提供に必要なデータを書き込む。
【００８４】
図１の利用者向けメッセージ送付部３４は、一定時間間隔で提供情報ＤＢ３８を確認して、送信する情報がある場合に、図２のステップ１６８の該当する利用者に対して指定された送信時期に情報提供者からの広告情報を利用者端末装置４１に送信する。
【００８５】
これにより、情報提供者は無駄な宣伝が不要となり、利用者はニーズにマッチングする様に利用者向けメッセージ送付部３４で作成した情報だけを受けるため、従来の選別されていない多数の宣伝情報を送るのに比べて、少数の利用者に有益な情報だけがおくられて来るため、情報が見落とされることが減ると共に、いわゆるヒット率が高くなり情報提供の効率が大幅に上がることになる。
【００８６】
利用者の利用者端末装置４１の利用者用専用アプリケーションは、送信された情報提供者からの情報を専用アプリケーション内に蓄積し、提供情報の指定種別により、バナー、ティッカーあるいはメールなどの形式で、利用者に対する表示を行う。利用者端末装置４１上の専用アプリケーションは、アイコンの状態でも管理サーバー１からの情報を受信した場合、利用者に認識できる識別手段を持つ。
【００８７】
前記専用アプリケーションのアイコンは情報を受信すると変化する。利用者が情報を閲覧した場合、前記アプリケーションは管理サーバー１に対して図２のステップ１６９のＹＥＳの受信確認情報を送信することができ、受信確認情報は情報提供ＤＢ３８に蓄積される。利用者向けメッセージ送付部３４はこの確認情報を基に情報を確認した利用者に対して、同じ情報の再送を防止することができる。
【００８８】
提供情報は接続されている回線の速度、品質などにより指定することが可能であり、回線が条件を満たしていない場合は情報提供をしなくなり、ステップ１６９のＮＯの条件となる。利用者端末装置４１の電源オフの場合を含めて、ＮＯの場合、利用者向けメッセージ送付部３４は次回の送信時期に条件が変化して送信条件を満たしていれば、ステップ１６８を繰り返して、広告情報は前記利用者に向けて送信される。
【００８９】
図１の利用者向けメッセージ送付部３４経由で情報提供者管理部7が図２のステップ１６９において確認すると、リクエストを出した提供者に対して、アカウント部３６は図２のステップ１７０において課金計算を行い、情報提供者に料金の請求を出す。
【００９０】
前記課金計算と共に、ステップ１７１においてサービス情報提供の効果を蓄積し、ステップ１７２において情報提供者に結果を送付して料金の請求を行い、図１の情報提供者管理ＤＢ５に蓄積する。
【００９１】
ステップ１６９において、利用者端末装置４１にサービス提供情報が表示された場合、ステップ１７３において、利用者向けメッセージ生成部３３が情報提供者の負担するインセンティブを利用者端末装置４１に送付する。
【００９２】
管理サーバー１はステップ１１３とステップ１２３の待機状態に戻る。
【００９３】
以上説明したように、本発明によれば、メモリー２，４およびプロセッサ３を含み、情報提供者に関する第１の属性１０および第１の要件１１、情報利用者に関する第２の属性２０および第２の要件２１を用いて要件合致度算出部３０，３１により要件合致度を算出し、要件合致度に基づいて情報提供者に情報利用者の存在を通知部３２により通知することとしたので、情報提供者から情報利用者に向けて、適切なタイミングでかつ適切な情報を提供することができる。
【符号の説明】
【００９４】
１：管理サーバー
２，４：管理サーバーのメモリー
３：管理サーバーのプロセッサ
５：情報提供者管理ＤＢ
６：情報利用者管理ＤＢ
７：情報提供者管理部
８：情報利用者管理部
１０，１２：情報提供者の属性情報
１１，１３：情報提供者の要件情報
２０，２２：情報利用者の属性情報
２１，２３：情報利用者の要件情報
３０：属性合致度算出部
３１：要件合致度算出部
３２：情報提供者へ利用者を通知部
３３：利用者向けメッセージ生成部
３４：利用者向けメッセージ送付部
３５：利用者向のメッセージ受領確認部
３６：アカウント部
３７：利用者受領確認を提供者へ通知部
３８：提供情報ＤＢ
４１：利用者端末装置
４２：ステータス記憶部
４３：通信部
４４：メッセージ表示部
５１：情報提供者端末
５２：情報提供者ステータス記憶部
５３：利用者情報と情報提供機会案内の通信部
６０：第１の属性要件ＤＢ
７０：第２の属性要件ＤＢ
１００：広告システム
【図１】
2017059241.tif 000003
【図２】
2017059241.tif 000004